(57)【要約】【課題】複数のＬＥＤ夫々の発光を均等にするように補正する補正データ及びイメージデータを格納するページメモリからＬＥＤヘッドへ補正データを先に伝送し、その後イメージデータを伝送する方式の画像形成装置であって、イメージデータの伝送を速やかに開始する画像形成装置の提供。【解決手段】補正データ用クロック信号又はイメージデータ用クロック信号の一方を選択して出力するクロック信号選択部３０と、クロック信号選択部３０から出力された補正データ用クロック信号をカウントするカウンタ３４とを備え、カウンタ３４が所定数カウントしたとき、クロック信号選択部３０がイメージデータ用クロック信号を選択して出力するように構成した。【選択図】　　　　図２
2004074717.tif 000002
【特許請求の範囲】
【請求項１】
複数のＬＥＤを備えるＬＥＤヘッドの発光により画像を形成する画像形成装置において、前記ＬＥＤ夫々の発光を均等にするように補正する補正データを前記ＬＥＤヘッドへ送る補正データ用クロック信号又はイメージデータを前記ＬＥＤヘッドへ送るイメージデータ用クロック信号の一方を選択して出力するクロック信号選択部と、該クロック信号選択部から出力された前記補正データ用クロック信号をカウントするカウンタとを備え、該カウンタが所定数カウントしたとき、前記クロック信号選択部が前記イメージデータ用クロック信号を出力するように構成したことを特徴とする画像形成装置。
【請求項２】
複数のＬＥＤを備えるＬＥＤヘッドの発光により画像を形成する画像形成装置において、前記ＬＥＤ夫々の発光を均等にするように補正する発光補正データ及び該発光補正データの終了を示す終了データで構成される補正データを前記ＬＥＤヘッドへ送る補正データ用クロック信号又はイメージデータを前記ＬＥＤヘッドへ送るイメージデータ用クロック信号の一方を選択して出力するクロック信号選択部と、前記補正データを格納するメモリと、前記クロック信号選択部から出力された前記補正データ用クロック信号に応じて前記メモリから読み出された前記補正データに、前記終了データが含まれるか否かを検出する終了データ検出手段とを備え、該終了データ検出手段が前記終了データを検出したとき、前記クロック信号選択部が前記イメージデータ用クロック信号を出力するように構成したことを特徴とする画像形成装置。
【請求項３】
複数のＬＥＤを備えるＬＥＤヘッドの発光により画像を形成する画像形成装置において、前記ＬＥＤ夫々の発光を均等にするように補正する補正データを前記ＬＥＤヘッドへ送る補正データ用クロック信号を発生させるクロック発生部は、前記補正データを前記ＬＥＤヘッドへ送り終ったとき、前記補正データ用クロック信号を所定の出力パターンに変更する手段を有し、前記補正データ用クロック信号又はイメージデータを前記ＬＥＤヘッドへ送るイメージデータ用クロック信号の一方を選択して出力するクロック信号選択部と、該クロック信号選択部から出力される前記補正データ用クロック信号に前記所定の出力パターンが含まれるか否かを検出するパターン検出手段とを備え、該パターン検出手段が前記所定の出力パターンを検出したとき、前記クロック信号選択部が前記イメージデータ用クロック信号を出力するように構成したことを特徴とする画像形成装置。
【発明の詳細な説明】
【０００１】
【発明の属する技術分野】
本発明は、整列した複数のＬＥＤを備えるＬＥＤヘッドの発光により画像を形成する画像形成装置に関する。
【０００２】
【従来の技術】
ＬＥＤ（Ｌｉｇｈｔ　Ｅｍｉｔｔｉｎｇ　Ｄｉｏｄｅ）を光書込光源とする画像形成装置は、複数のＬＥＤを整列させたＬＥＤアレイを、感光ドラムの側面近傍に、該感光ドラムの回転軸に平行に備えており、各ＬＥＤを並列に発光させることにより、感光ドラムの回転により搬送された記録紙に主走査方向に１ライン分の画素を形成することができる。
【０００３】
ＬＥＤの発光には個体差があるため、発光の補正をせずに画素を形成した場合、本来同一であるはずの複数の画素が、ＬＥＤの発光の個体差により、異なる複数の画素として形成される。このような発光のばらつきによる画素のばらつきを無くすため、ＬＥＤ夫々の発光は均等になるように補正されている。この補正は電流値の調整による光度の補正及び発光時間の調整による発光量の補正等で行われており、この補正をするための補正データを、ＬＥＤアレイを備えるＬＥＤヘッドの外部より書き込む方式の画像形成装置が提供されている。
【０００４】
上述の補正データは、ＬＥＤヘッド内のＲＯＭ又は付属のフレキシブルディスク等に記憶させてあり、一旦、ＲＯＭ又はフレキシブルディスク等から読み出され、イメージデータが格納されるページメモリ内の補正データ領域に格納される。イメージデータ及び補正データは、ＬＥＤヘッドを駆動制御するＩＣ（Ｉｎｔｅｇｒａｔｅｄ　Ｃｉｒｃｕｉｔ）を経由してＬＥＤヘッドへ伝送されるが、このイメージデータ及び補正データの伝送方式には、イメージデータ及び補正データを同時にＬＥＤヘッドへ伝送する方式と、補正データを先にＬＥＤヘッドへ伝送し、補正データの伝送終了後、イメージデータをＬＥＤヘッドへ伝送する方式とがある。
【０００５】
【発明が解決しようとする課題】
補正データの伝送終了後、イメージデータを伝送する方式を採用する画像形成装置においては、制御システム（例えばＭＰＵ）が補正データの伝送状態を監視し、補正データの伝送終了を検知した場合には、補正データ用クロック信号をイメージデータ用クロック信号に切り換えるように構成する必要がある。
【０００６】
このように補正データの伝送状態を監視し、補正データの伝送終了後に補正データ用クロック信号をイメージデータ用クロック信号に切り換えるように構成することは、制御システムにとっては大きな負担となる。
【０００７】
本発明は斯かる事情に鑑みてなされたものであり、補正データを伝送し終わったとき、補正データ用クロック信号を自動的にイメージデータ用クロック信号に切り換える手段としてソフト処理によらず、クロック信号切換用の専用ハード構成を備えることにより、制御システムの負担を軽減した画像形成装置を提供することを目的とする。
【０００８】
【課題を解決するための手段】
第１発明に係る画像形成装置は、複数のＬＥＤを備えるＬＥＤヘッドの発光により画像を形成する画像形成装置において、前記ＬＥＤ夫々の発光を均等にするように補正する補正データを前記ＬＥＤヘッドへ送る補正データ用クロック信号又はイメージデータを前記ＬＥＤヘッドへ送るイメージデータ用クロック信号の一方を選択して出力するクロック信号選択部と、該クロック信号選択部から出力された前記補正データ用クロック信号をカウントするカウンタとを備え、該カウンタが所定数カウントしたとき、前記クロック信号選択部が前記イメージデータ用クロック信号を出力するように構成したことを特徴とする。
【０００９】
第１発明においては、クロック信号選択部が補正データ用クロック信号を出力しているとき、カウンタが補正データ用クロック信号をカウントする。カウント数が所定値に到達したとき、カウンタキャリーの論理を変更し、カウンタキャリーの変化に応じてクロック信号選択部が、補正データ用クロック信号からイメージデータ用クロック信号へ切り換えて出力する。
【００１０】
第２発明に係る画像形成装置は、複数のＬＥＤを備えるＬＥＤヘッドの発光により画像を形成する画像形成装置において、前記ＬＥＤ夫々の発光を均等にするように補正する発光補正データ及び該発光補正データの終了を示す終了データで構成される補正データを前記ＬＥＤヘッドへ送る補正データ用クロック信号又はイメージデータを前記ＬＥＤヘッドへ送るイメージデータ用クロック信号の一方を選択して出力するクロック信号選択部と、前記補正データを格納するメモリと、前記クロック信号選択部から出力された前記補正データ用クロック信号に応じて前記メモリから読み出された前記補正データに、前記終了データが含まれるか否かを検出する終了データ検出手段とを備え、該終了データ検出手段が前記終了データを検出したとき、前記クロック信号選択部が前記イメージデータ用クロック信号を出力するように構成したことを特徴とする。
【００１１】
第２発明においては、クロック信号選択部が補正データ用クロック信号を出力しているとき、メモリから伝送された補正データに終了データが含まれるか否かを終了データ検出手段が検出する。終了データ検出手段が終了データを検出したとき、終了データ検出手段は論理状態の異なる信号を出力し、終了データ検出手段の変化した出力信号に応じてクロック信号選択部が、補正データ用クロック信号からイメージデータ用クロック信号へ切り換えて出力する。
【００１２】
第３発明に係る画像形成装置は、複数のＬＥＤを備えるＬＥＤヘッドの発光により画像を形成する画像形成装置において、前記ＬＥＤ夫々の発光を均等にするように補正する補正データを前記ＬＥＤヘッドへ送る補正データ用クロック信号を発生させるクロック発生部は、前記補正データを前記ＬＥＤヘッドへ送り終ったとき、前記補正データ用クロック信号を所定の出力パターンに変更する手段を有し、前記補正データ用クロック信号又はイメージデータを前記ＬＥＤヘッドへ送るイメージデータ用クロック信号の一方を選択して出力するクロック信号選択部と、該クロック信号選択部から出力される前記補正データ用クロック信号に前記所定の出力パターンが含まれるか否かを検出するパターン検出手段とを備え、該パターン検出手段が前記所定の出力パターンを検出したとき、前記クロック信号選択部が前記イメージデータ用クロック信号を出力するように構成したことを特徴とする。
【００１３】
第３発明においては、クロック信号選択部が補正データ用クロック信号を出力しているとき、クロック信号選択部から出力されるクロック信号に所定の出力パターンが含まれるか否かをパターン検出手段が検出する。パターン検出手段が所定の出力パターンを検出したとき、パターン検出手段は論理状態の異なる信号を出力し、パターン検出手段の変化した出力信号に応じてクロック信号選択部が、補正データ用クロック信号からイメージデータ用クロック信号へ切り換えて出力する。
【００１４】
【発明の実施の形態】
以下、本発明をその実施の形態を示す図面に基づいて詳述する。
実施の形態１
図１は、本発明に係る画像形成装置を備えるファクシミリ装置の要部構成を示すブロック図である。図において１はＭＰＵ（マイクロプロセッサユニット）を表し、ＭＰＵ１、読取部２、画像形成装置３ａ、表示部４、操作部５、ＲＯＭ６、ＲＡＭ７、画像メモリ８、モデム９、ＮＣＵ（Ｎｅｔｗｏｒｋ　Ｃｏｎｔｒｏｌ　Ｕｎｉｔ）１０、コーデック１１等が、バス１２を介して相互に接続されている。
【００１５】
ＭＰＵ１は、バス１２を介してファクシミリ装置の上述したようなハードウェア各部を制御する。ＲＯＭ６は、ファクシミリ装置の動作に必要な種々のソフトウェアのプログラムを予め格納している。ＲＡＭ７は、ＳＲＡＭ又はフラッシュメモリ等で構成され、ソフトウェアの実行時に発生する一時的なデータを記憶する。
【００１６】
モデム９はファクシミリ通信が可能なファクスモデムから構成されている。また、モデム９は、同様にバス１２に接続されたＮＣＵ１０と直接的に接続されている。ＮＣＵ１０は、回線Ｌとモデム９との接続を制御し、必要に応じてモデム９を回線Ｌと接続する。
【００１７】
読取部２は、例えばＣＣＤを利用したスキャナで原稿の読み取りを行う。画像メモリ８は、ＤＲＡＭ等で構成され、読取部２が読み取ったイメージデータ又は回線Ｌを介して受信したイメージデータを格納する。コーデック１１は、送信すべきイメージデータの符号化と、受信したイメージデータの復号とを行う。
【００１８】
表示部４は、液晶表示装置又はＣＲＴディスプレイ等の表示装置であり、ファクシミリ装置の動作状態を表示したり、送信すべく読み取った原稿のイメージデータ又は受信したイメージデータの表示を行う。操作部５は、ファクシミリ装置を操作するために必要な文字キー、テンキー、短縮ダイヤルキー、ワンタッチダイヤルキー及び各種のファンクションキー等を備えている。尚、表示部４をタッチパネル方式とすることにより、操作部５の各種のキーの内の一部又は全部を代用することも可能である。
【００１９】
図２は、本実施の形態１に係る画像形成装置３ａの要部構成を示すブロック図である。
【００２０】
図において３ａは画像形成装置を表し、画像形成装置３ａには、補正データ用クロック信号発生回路１３ａが発生する補正データ用クロック信号及びイメージデータ用クロック信号発生回路１４が発生するイメージデータ用クロック信号が与えられている。なお、補正データ用クロック信号は、イメージデータ用クロック信号よりも低い周波数とされている。
【００２１】
画像形成装置３ａはクロック信号選択部３０を備え、クロック信号選択部３０には補正データ用クロック信号及びイメージデータ用クロック信号が与えられている。クロック信号選択部３０は補正データ用クロック信号又はイメージデータ用クロック信号の何れか一方を選択して出力するものであり、クロック信号選択部３０はＡＮＤ回路３０ａ，３０ｂを備える。クロック信号選択部３０の出力信号は、カウンタ３４、ページメモリ３３及びカスタムＩＣ３１に与えられている。
【００２２】
カウンタ３４は、クロック信号選択部３０から出力される補正データ用クロック信号を所定数カウントしたとき、論理状態が異なる信号を出力するように構成されている。所定のカウント数は補正データ量に対応し、例えば、画像を形成する記録紙のサイズ別に設定することが可能である。カウンタ３４の出力信号はＲ−Ｓフリップフロップ回路３５のＳ端子に否定して与えられ、Ｒ−Ｓフリップフロップ回路３５のＲ端子及びカウンタ３４にはリセット信号が与えられている。
【００２３】
Ｒ−Ｓフリップフロップ回路３５の出力信号は、ＡＮＤ回路３０ｂの一方の入力に与えられ、また、ＡＮＤ回路３０ａの一方の入力には否定して与えられている。ＡＮＤ回路３０ｂの他方の入力にはイメージデータ用クロック信号が与えられ、ＡＮＤ回路３０ａの他方の入力には補正データ用クロック信号が与えられている。
【００２４】
カスタムＩＣ３１はＬＥＤヘッド３２を駆動制御するものであり、ＬＥＤヘッド３２は、整列した複数のＬＥＤを有するＬＥＤアレイを備え、画像を形成するためのものである。ページメモリ３３は、補正データが格納されるメモリであり、補正データが格納される補正データ領域３３ａと、イメージデータが格納されるイメージデータ領域３３ｂとを備える。
【００２５】
補正データはＬＥＤ夫々の発光を均等にするように補正するためのデータであり、イメージデータは画像を形成するためのデータである。補正データは、当初はＲＯＭ６又はＲＡＭ７等に記憶させておき、画像形成装置として動作させる場合にＲＯＭ６又はＲＡＭ７等から読み出され、一旦ページメモリ３３の補正データ領域３３ａに格納される。なお、ページメモリ３３に一旦格納させることなく、ページメモリ３３を介さずに、ＲＯＭ６又はＲＡＭ７から直接ＬＥＤヘッド３２へ転送することも可能である。また、ＬＥＤヘッド３２内に補正データ記憶用のＲＯＭを有する場合には、そのデータを読み出して一旦格納する先はページメモリ３３に限らず、ＲＡＭ７であっても良い。イメージデータは、画像メモリ８から伝送され、コーデック１１で復号され、ページメモリ３３のイメージデータ領域３３ｂに格納される。補正データ及びイメージデータは、ページメモリ３３からカスタムＩＣ３１を経由してＬＥＤヘッド３２へ伝送され、補正データの伝送終了後、イメージデータが伝送される構成としてある。ＬＥＤヘッド３２はイメージデータの受付速度よりも補正データの受付速度の方が速い構成としてある。
【００２６】
図３は、図２に示す各回路等の出力信号を表すタイムチャートである。以下、各回路等の入出力信号について説明する。
【００２７】
カウンタ３４は、当初、論理信号「１」を出力しており、この論理信号「１」は否定されて論理信号「０」がＲ−Ｓフリップフロップ回路３５のＳ端子に与えられている。Ｒ−Ｓフリップフロップ回路３５のＲ端子にはリセット信号「０」が与えられていることから、Ｒ−Ｓフリップフロップ回路３５は論理信号「０」を出力している。
【００２８】
Ｒ−Ｓフリップフロップ回路３５が出力している論理信号「０」はＡＮＤ回路３０ｂの一方の入力に与えられている。ＡＮＤ回路３０ｂの他方の入力にはイメージデータ用クロック信号が与えられているが、一方の入力に論理信号「０」が与えられているため、ＡＮＤ回路３０ｂからは論理信号「０」が出力されている。
【００２９】
また、Ｒ−Ｓフリップフロップ回路３５が出力している論理信号「０」は否定されて論理信号「１」がＡＮＤ回路３０ａの一方の入力に与えられている。ＡＮＤ回路３０ａの他方の入力には補正データ用クロック信号が与えられており、ＡＮＤ回路３０ａからは補正データ用クロック信号が出力されている。よって、クロック信号選択部３０からは補正データ用クロック信号が出力されている。
【００３０】
このように、クロック信号選択部３０の出力信号は、当初、補正データ用クロック信号が出力されている。この補正データ用クロック信号により、ページメモリ３３に格納された補正データがカスタムＩＣ３１を経由してＬＥＤヘッド３２へ伝送される。
【００３１】
クロック信号選択部３０から出力されている補正データ用クロック信号はカウンタ３４によってカウントされており、カウンタ３４は、補正データ用クロック信号を所定数カウントしたとき、論理信号「０」を出力する。この論理信号「０」は否定されて論理信号「１」がＲ−Ｓフリップフロップ回路３５のＳ端子に与えられ、Ｒ−Ｓフリップフロップ回路３５は出力信号を「０」から「１」に変更する。
【００３２】
Ｒ−Ｓフリップフロップ回路３５からの論理信号が「１」に変更された場合、ＡＮＤ回路３０ａからは補正データ用クロック信号が出力されず、ＡＮＤ回路３０ａの出力信号は「０」となり、ＡＮＤ回路３０ｂからはイメージデータ用クロック信号が出力される。
【００３３】
以上の説明のように、クロック信号選択部３０の出力信号は、補正データ用クロック信号がカウンタ３４で所定数カウントされたとき、イメージデータ用クロック信号へ自動的に切り換わる。つまり、補正データ量に対応したクロック数がカウントされ、補正データの伝送が終了したとき（クロック信号を所定数カウントしたとき）にイメージデータ用クロック信号へ自動的に切り換えられる。これにより、補正データをＬＥＤヘッド３２へ伝送し、補正データ伝送終了後、自動的にクロック信号を切り換え、イメージデータのＬＥＤヘッド３２への伝送を速やかに開始することができる。
【００３４】
実施の形態２
以下に、実施の形態２におけるファクシミリ装置について説明する。尚、実施の形態１と同様の構成部分には、同様の符号を付けて説明を省略する。
図４は、本実施の形態２に係る画像形成装置３ｂの要部構成を示すブロック図である。実施の形態１に係る画像形成装置３ａと同様の構成部分には、同様の符号を付けて説明を省略する。
【００３５】
画像形成装置３ｂはカウンタ３４及びＲ−Ｓフリップフロップ回路３５を備えず、クロック信号選択部３０の出力信号はページメモリ３３及びカスタムＩＣ３１に与えられている。
【００３６】
ページメモリ３３及びカスタムＩＣ３１間のデータ伝送経路には終了データ検出手段３６を介在させてある。終了データ検出手段３６の出力信号は、ＡＮＤ回路３０ａの一方の入力に与えられており、また、ＡＮＤ回路３０ｂの一方の入力に否定して与えられている。なお、終了データ検出手段３６はカスタムＩＣ３１内に作り込んでもよい。
【００３７】
補正データは、ＬＥＤ夫々の発光を均等にするように補正する発光補正データと、発光補正データの終了を示す終了データとで構成される。終了データ検出手段３６は、終了データを検出した場合、論理状態が異なる信号を出力するように構成してあり、終了データ検出手段３６には必要に応じてリセット信号が入力される。
【００３８】
図５は、図４に示す各回路等の出力信号を表すタイムチャートである。各回路等の入出力信号について、実施の形態１に係る画像形成装置３ａと同様の部分は説明を省略し、異なる部分のみ以下に説明する。
【００３９】
終了データ検出手段３６は、当初、論理信号「１」を出力し、この論理信号「１」は、ＡＮＤ回路３０ａの一方の入力に与えられ、また、ＡＮＤ回路３０ｂの一方の入力には否定して論理信号「０」が与えられている。これにより、クロック信号選択部３０は、当初、補正データ用クロック信号を出力している。
【００４０】
ページメモリ３３からカスタムＩＣ３１へは補正データ用クロック信号に応じて補正データが伝送されている。終了データ検出手段３６は、終了データを検出したとき、論理信号「０」を出力する。この論理信号「０」により、ＡＮＤ回路３０ａからは論理信号「０」が出力され、ＡＮＤ回路３０ｂからはイメージデータ用クロック信号が出力される。
【００４１】
以上の説明のように、クロック信号選択部３０の出力信号は、補正データの伝送が終了したとき、補正データ用クロック信号からイメージデータ用クロック信号へ自動的に切り換わる。これにより、実施の形態１と同様に、補正データをＬＥＤヘッド３２へ伝送し、補正データの伝送終了後、イメージデータ用クロック信号へ自動的に切り換え、イメージデータのＬＥＤヘッド３２への伝送を速やかに開始できる。
【００４２】
実施の形態３
以下に、実施の形態３におけるファクシミリ装置について説明する。尚、実施の形態１と同様の構成部分には、同様の符号を付けて説明を省略する。
図６は、本実施の形態３に係る画像形成装置３ｃの要部構成を示すブロック図である。実施の形態１に係る画像形成装置３ａと同様の構成部分には、同様の符号を付けて説明を省略する。
【００４３】
補正データ用クロック信号を発生させるクロック発生部である補正データ用クロック信号発生回路１３ｂは、補正データの伝送が終了したとき、出力するクロック信号を所定の出力パターンに変更する手段を備える。例えば、一定の周期で「０」「１」を交互に出力する通常の補正データ用クロック信号から、「０００１０１」「０００１０１」・・・というような、出力「１」を１回休んだ後に出力「１」を２回出力するという出力パターンのクロック信号へ変更する。
【００４４】
画像形成装置３ｃは、カウンタ３４及びＲ−Ｓフリップフロップ回路３５を備えず、パターン検出手段３７を備える。クロック信号選択部３０の出力信号は、ページメモリ３３、パターン検出手段３７及びカスタムＩＣ３１に与えられている。
【００４５】
パターン検出手段３７は、クロック信号選択部３０から出力される補正データ用クロック信号に所定の出力パターンが含まれることを検出した場合、論理状態の異なる信号を出力するように構成してあり、パターン検出手段３７には必要に応じてリセット信号が入力される。
【００４６】
図７は、図６に示す各回路等の出力信号を表すタイムチャートである。各回路等の入出力信号について、実施の形態１に係る画像形成装置３ａと同様の部分は説明を省略し、異なる部分のみ以下に説明する。
【００４７】
パターン検出手段３７は、当初、論理信号「１」を出力しており、この論理信号「１」はＡＮＤ回路３０ａの一方の入力に与えられ、また、ＡＮＤ回路３０ｂの一方の入力には否定して論理信号「０」が与えられている。これにより、クロック信号選択部３０は、当初、補正データ用クロック信号を出力している。
【００４８】
補正データの伝送が終了したとき、補正データ用クロック信号発生回路１３ｂは所定の出力パターンのクロック信号を出力する。パターン検出手段３７は、この所定の出力パターンのクロック信号を検出したとき、論理信号「０」を出力する。この論理信号「０」により、ＡＮＤ回路３０ａからは論理信号「０」が出力され、ＡＮＤ回路３０ｂからはイメージデータ用クロック信号が出力される。
【００４９】
以上の説明のように、クロック信号選択部３０の出力信号は、補正データの伝送が終了したとき、補正データ用クロック信号からイメージデータ用クロック信号へ自動的に切り換わる。これにより、実施の形態１及び２と同様に、補正データをＬＥＤヘッド３２へ伝送し、補正データの伝送終了後、イメージデータ用クロック信号へ自動的に切り換え、イメージデータのＬＥＤヘッド３２への伝送を速やかに開始できる。
【００５０】
【発明の効果】
以上、詳述したように、第１発明に係る画像形成装置においては、補正データを補正データ用クロック信号でカスタムＩＣを経由してＬＥＤヘッドへ伝送し、補正データ用クロック信号を所定数カウントすることにより、補正データの伝送が終了したときに、ハード的にイメージデータ用クロック信号へ自動的に切り換えることができるので、制御システムの負担を軽減した画像形成装置を提供できる。
【００５１】
また、第２発明に係る画像形成装置においては、終了データを検出することにより、補正データの伝送が終了したときに、ハード的にイメージデータ用クロック信号へ自動的に切り換えることができるので、制御システムの負担を軽減した画像形成装置を提供できる。
【００５２】
さらに、第３発明に係る画像形成装置においては、補正データの伝送終了時に出力されるクロック信号の所定の出力パターンを検出することで、補正データの伝送が終了したときに、ハード的にイメージデータ用クロック信号へ自動的に切り換えることができるので、制御システムの負担を軽減した画像形成装置を提供できる。
【図面の簡単な説明】
【図１】本発明に係る画像形成装置を備えるファクシミリ装置の要部構成を示すブロック図である。
【図２】実施の形態に係る画像形成装置の要部構成を示すブロック図である。
【図３】図２に示す各回路等の出力信号を表すタイムチャートである。
【図４】実施の形態に係る画像形成装置の要部構成を示すブロック図である。
【図５】図４に示す各回路等の出力信号を表すタイムチャートである。
【図６】実施の形態に係る画像形成装置の要部構成を示すブロック図である。
【図７】図６に示す各回路等の出力信号を表すタイムチャートである。
【符号の説明】
３ａ，３ｂ，３ｃ　画像形成装置
１３ｂ　補正データ用クロック信号発生回路（クロック発生部）
３０　クロック信号選択部
３０ａ，３０ｂ　ＡＮＤ回路
３２　ＬＥＤヘッド
３３　ページメモリ（メモリ）
３４　カウンタ
３５　Ｒ−Ｓフリップフロップ回路
３６　終了データ検出手段
３７　パターン検出手段
【図１】
2004074717.tif 000003
【図２】
2004074717.tif 000004
【図３】
2004074717.tif 000005
【図４】
2004074717.tif 000006
【図５】
2004074717.tif 000007
【図６】
2004074717.tif 000008
【図７】
2004074717.tif 000009